【事件の表示】
　特願２００３−３７０１８７「地図表示システム」拒絶査定不服審判事件〔平成１７年　５月２６日出願公開、特開２００５−１３４６１１〕について、次のとおり審決する。
【結　論】
　本件審判の請求は、成り立たない。
【理　由】
１．手続の経緯
　本願は、平成１５年１０月３０日に出願したものであって、平成２０年８月５日に手続補正がなされ、平成２１年９月２８日付けで拒絶査定がなされ、これに対し、同年１２月２２日に拒絶査定に対する審判請求がなされたものである。
　
２．本願発明
　本願請求項１に係る発明（以下「本願発明」という。）は、平成２０年８月５日の手続補正で補正された特許請求の範囲、明細書及び図面の記載からみて、特許請求の範囲の請求項１に記載された事項により特定される、以下のとおりのものである。
「地図表示サービスを受ける利用者の端末装置である利用者端末と、地図データを配信するサーバコンピュータである配信サーバにより構成されるシステムであって、
　前記配信サーバは、同一位置に関する地図データを粗画像と高品質画像として記録した地図データベースを管理する機能と、前記利用者端末からの表示位置および地図表示指示に基づいて、前記地図データベースから指定された位置に対応する粗画像および高品質画像を順に連続して抽出して利用者端末に送信する機能を有し、
　前記利用者端末は、前記配信サーバから受信した前記粗画像を先に画面上に表示させるとともに、前記高品質画像の表示準備処理を行う機能と、高品質画像の表示準備処理が完了した段階で、前記表示中の粗画像と切り換えて、高品質画像を表示させる機能を有することを特徴とする地図表示システム。」
　
３．引用刊行物
　（１）原査定の拒絶の理由に引用され、本願の出願前に頒布された特開平１１−２５８９７７号公報（以下「刊行物１」という。）には、以下の記載が図とともにある（下線は当審にて付した。以下同じ。）。
　ア　【請求項１】  
地図データの格納手段と、該地図データの表示手段と、表示手段を指定する入力手段とを有する地図表示システム
において
予め、同一地域かつ同一縮尺の粗さの異なる地図データを生成し、表示領域の移動命令を受けた場合、及び、該移動命令が保持されている場合には粗い地図データの表示を行い、前記移動命令が解除された場合には、粗い地図データからより細かい地図データの順に階層的表示を行う
　イ　【０００６】まず、クライアント／サーバシステム構成の場合、地図データを表示するクライアントと地図データを格納しているサーバとの間の通信によるデータ伝送速度が遅いため、必然的に表示速度が遅くなることが挙げられる。スタンドアローンシステム構成の場合、地図データを格納しているＣＤ‐ＲＯＭやディスク等の２次記憶装置と主記憶装置との間のデータバスによるデータ伝送速度が遅いため、同様に表示速度が遅くなることが挙げられる。さらに、主記憶装置内の地図データをグラフィックディスプレイに表示する時のベクトル描画速度が遅い点などが挙げられる。
　ウ　【００１５】
【発明の実施の形態】以下、本発明の実施の形態を図面を用いて、詳細に説明する。図１は、
地図データを蓄えているサーバ１と地図データを表示するクライアント２とから成る地図表示システム
サーバ１とクライアント２は通信回線３により接続されており、サーバ１の記憶装置
には
同一地域の縮尺の異なる階層構造の地図データが格納されている
【００１６】図２は、クライアント２の構成を示すブロック図である。
クライアント２は全体の制御を行う中央処理装置１１と、サーバ１から送られてくる地図データの格納手段である主記憶装置１２、地図データの表示手段であるグラフィックディスプレイ１３、表示操作の指定に使われる入力手段であるキーボード１４とマウス１５から成っている
【００１７】図３は、予め用意されている縮尺の異なる具体的な地図の種類を示す図である。
階層構造の地図データは、縮尺の異なる幾つかの地図を同縮尺に拡大することにより容易に作成できる
例えば
同一地域の「２５，０００分の１」の縮尺の地図と
「５０，０００分の１」の地図を２倍拡大して、「２５，０００分の１」の縮尺にした地図
は
粗い地図データとして利用できる
　エ　【００１９】図４は、スクロールモードでのユーザのアクション処理プロセスを示すフローチャートである。
ユーザは表示画面の状態によりキーボード１４のスクロールキーをオン／オフの操作を行なう
　オ　【００３１】一方、本発明の方法では、
スクロールを開始すると
全地図データの中央にある粗い地図データを表示する
上方向にスクロールさせる
次に、全地図データの上部にある粗い地図データを表示し
スクロールを中止する
すると、同じ表示領域の細かい地図データが表示され
　カ【００３２】次に、本発明の地図表示方法と従来の地図表示方法の地図データの伝送量を比較することにより、本発明の有効性を立証する。従来の地図表示方法を用いて、あるオブジェクトを表示する過程を示す。まず、初期表示は
表示領域の面積をＳとし
細かい地図データの単位面積当たりのデータ量をｐ
【００３３】
【数１】Ｉ＝ｐＳ＋ｎｐＳ＝（ｎ＋１）ｐＳ
次に、本発明による階層的地図データを利用した地図表示方法を用いて、あるオブジェクトを表示画面上に表示する例を示す。
【００３４】まず、初期表示では表示領域の粗い地図データをサーバ１から伝送して表示する。
表示領域の面積はＳ
粗い地図データの単位面積当たりのデータ量ｐ’（ただし、ｐ＜ｐ’）
【００３５】次に、表示画面上には目的とするオブジェクトが存在しないので、
ｎ回のスクロール
本発明の階層的地図データを利用した場合の全体の地図データの伝送量Ｊは以下の式で表される
【００３６】
【数２】
Ｊ＝ｐ’Ｓ＋ｎｐ’Ｓ＋ｐＳ＝（ｎ＋１）ｐ’Ｓ＋ｐＳ
　
　上記記載及び図面を含む刊行物１全体の記載から、刊行物１には、以下の発明が記載されていると認められる。
「地図データの格納手段と、該地図データの表示手段と、表示手段を指定する入力手段とを有する地図表示システムにおいて、
　予め、同一地域かつ同一縮尺の粗さの異なる地図データを生成し、表示領域の移動命令を受けた場合、及び、該移動命令が保持されている場合には粗い地図データの表示を行い、前記移動命令が解除された場合には、粗い地図データからより細かい地図データの順に階層的表示を行うものであって、
　地図表示システムは、地図データを蓄えているサーバ１と地図データを表示するクライアント２とから成り、サーバ１とクライアント２は通信回線３により接続されており、サーバ１の記憶装置には、同一地域の縮尺の異なる階層構造の地図データが格納されており、
　クライアント２は全体の制御を行う中央処理装置１１と、サーバ１から送られてくる地図データの格納手段である主記憶装置１２、地図データの表示手段であるグラフィックディスプレイ１３、表示操作の指定に使われる入力手段であるキーボード１４とマウス１５から成っており、
　階層構造の地図データは、縮尺の異なる幾つかの地図を同縮尺に拡大することにより容易に作成できるものであって、例えば、同一地域の『２５，０００分の１』の縮尺の地図と、『５０，０００分の１』の地図を２倍拡大して、『２５，０００分の１』の縮尺にした地図からなり、『５０，０００分の１』の地図を２倍拡大して、『２５，０００分の１』の縮尺にした地図は、粗い地図データとして利用できるものであり、
　ユーザが表示画面の状態によりキーボード１４のスクロールキーをオン／オフの操作を行ない、スクロールを開始すると、まず、全地図データの中央にある粗い地図データを表示し、上方向にスクロールさせると、全地図データの上部にある粗い地図データを表示し、スクロールを中止すると、同じ表示領域の細かい地図データが表示され、
　表示領域の面積をＳとし、細かい地図データの単位面積当たりのデータ量をｐ、粗い地図データの単位面積当たりのデータ量ｐ’（ただし、ｐ＜ｐ’）とし、ｎ回のスクロールを行う場合の全体の地図データの伝送量Ｊが以下の式で表される地図表示システム。
Ｊ＝ｐ’Ｓ＋ｎｐ’Ｓ＋ｐＳ＝（ｎ＋１）ｐ’Ｓ＋ｐＳ」（以下「引用発明」という。）
　
　（２）原査定の拒絶の理由に引用され、本願の出願前に頒布された特開平４−３３７８００号公報（以下「刊行物２」という。）には、以下の記載が図とともにある。
　キ　【００１５】画像表示装置の画像情報の解像度と画像情報の濃淡について図２〜図５を参照しながら簡単に説明する。図中の各方形は、画像情報の１画素に対応表示させたものである。表示速度と解像度の関係について説明すると、図２（Ａ）は、解像度変換処理部１８によって解像度が落とされた記録媒体に記録されている低解像度の画像情報を示している。
利用者がページを指定した後
この画像情報が読み出され
低解像度の画像情報
拡大表示処理を介して
拡大表示
【００１６】この画像情報のデータ量は、高解像度の画像情報のデータ量に比べると極めて小さい量である。このため、上記指定されたページの表示が直ぐに行われる。従って、利用者は最初にページの指定した後に目的のページの表示がされるまで要する時間をいらいらして待つことがなくなる。
この表示がされている間に高解像度の画像情報が読み込まれ
画像２７が構成される
高解像度の画像情報を上述したように低解像度の画像情報データが表示されている同じ場所の上に上書きする
　
４．対比
　ａ　本願発明と引用発明とを比較すると、引用発明の「『地図データの表示手段』又は『地図データを表示するクライアント２』」、「『地図データの格納手段』又は『地図データを蓄えているサーバ１』」、「同一地域の」、「『５０，０００分の１』の地図を２倍拡大して、『２５，０００分の１』の縮尺にした地図」、「『２５，０００分の１』の縮尺の地図」及び「地図表示システム」は、それぞれ本願発明の「地図表示サービスを受ける利用者の端末装置である利用者端末」、「地図データを配信するサーバコンピュータである配信サーバ」、「同一位置に関する」、「粗画像」、「高品質画像」及び「地図表示システム」に相当する。
　ｂ　引用発明の「地図表示システム」は、「地図データを蓄えているサーバ１と地図データを表示するクライアント２とから成り、サーバ１とクライアント２は通信回線３により接続されて」いるから、地図表示サービスを受ける利用者の端末装置である利用者端末と、地図データを配信するサーバコンピュータである配信サーバにより構成されるシステムであるといえる。
　ｃ　引用発明は、「サーバ１の記憶装置には、同一地域の縮尺の異なる階層構造の地図データが格納されており」、「クライアント２は・・・サーバ１から送られてくる地図データの格納手段である主記憶装置１２」を有しており、「階層構造の地図データは、縮尺の異なる幾つかの地図を同縮尺に拡大することにより容易に作成できるものであって、例えば、同一地域の『２５，０００分の１』の縮尺の地図と、『５０，０００分の１』の地図を２倍拡大して、『２５，０００分の１』の縮尺にした地図からなり、『５０，０００分の１』の地図を２倍拡大して、『２５，０００分の１』の縮尺にした地図は、粗い地図データとして利用できるものであ」るから、引用発明の「サーバ１」（配信サーバ）は、同一位置に関する地図データを粗画像と高品質画像として記録した地図データベースを管理する機能を有するものといえ、更に、引用発明は「ユーザが表示画面の状態によりキーボード１４のスクロールキーをオン／オフの操作を行ない、スクロールを開始する」ものであり、「表示領域の面積をＳとし、細かい地図データの単位面積当たりのデータ量をｐ、粗い地図データの単位面積当たりのデータ量ｐ’（ただし、ｐ＜ｐ’）とし、ｎ回のスクロールを行う場合の全体の地図データの伝送量Ｊが以下の式で表される・・・
Ｊ＝ｐ’Ｓ＋ｎｐ’Ｓ＋ｐＳ＝（ｎ＋１）ｐ’Ｓ＋ｐＳ」ものであるから、引用発明の「サーバ１」（配信サーバ）は、利用者端末からの表示位置および地図表示指示に基づいて、地図データベースから指定された位置に対応する粗画像および高品質画像を抽出して利用者端末に送信する機能を有するものといえる。
　ｄ　引用発明の「クライアント２」（利用者端末）は、「全体の制御を行う中央処理装置１１と、サーバ１から送られてくる地図データの格納手段である主記憶装置１２、地図データの表示手段であるグラフィックディスプレイ１３」を有し、引用発明は、「ユーザが表示画面の状態によりキーボード１４のスクロールキーをオン／オフの操作を行ない、スクロールを開始すると、まず、全地図データの中央にある粗い地図データを表示し、上方向にスクロールさせると、全地図データの上部にある粗い地図データを表示し、スクロールを中止すると、同じ表示領域の細かい地図データが表示される」ものであり、「表示領域の面積をＳとし、細かい地図データの単位面積当たりのデータ量をｐ、粗い地図データの単位面積当たりのデータ量ｐ’（ただし、ｐ＜ｐ’）とし、ｎ回のスクロールを行う場合の全体の地図データの伝送量Ｊが以下の式で表される・・・
Ｊ＝ｐ’Ｓ＋ｎｐ’Ｓ＋ｐＳ＝（ｎ＋１）ｐ’Ｓ＋ｐＳ」ものであり、細かい地図データがサーバ１からクライアント２に伝送され、主記憶装置１２に格納されるのに少なくとも伝送量ｐＳに対応する時間を要するものであるから、引用発明の「クライアント２」（利用者端末）は、配信サーバから受信した粗画像を先に画面上に表示させるとともに、高品質画像の表示準備処理を行う機能と、高品質画像の表示準備処理が完了した段階で、前記表示中の粗画像と切り換えて、高品質画像を表示させる機能機能を有するものといえる。
　ｅ　以上より、本願発明と引用発明とは、
「地図表示サービスを受ける利用者の端末装置である利用者端末と、地図データを配信するサーバコンピュータである配信サーバにより構成されるシステムであって、
　前記配信サーバは、同一位置に関する地図データを粗画像と高品質画像として記録した地図データベースを管理する機能と、前記利用者端末からの表示位置および地図表示指示に基づいて、前記地図データベースから指定された位置に対応する粗画像および高品質画像を抽出して利用者端末に送信する機能を有し、
　前記利用者端末は、前記配信サーバから受信した前記粗画像を先に画面上に表示させるとともに、前記高品質画像の表示準備処理を行う機能と、高品質画像の表示準備処理が完了した段階で、前記表示中の粗画像と切り換えて、高品質画像を表示させる機能を有する地図表示システム。」
の点で一致し、以下の点で相違している。
［相違点］本願発明は、「地図データベースから指定された位置に対応する粗画像および高品質画像を
順に連続して
　
５．判断
　上記相違点について検討する。
　刊行物２には、「利用者がページを指定すると、低解像度の画像情報を読み込み、表示処理を行い、この表示の間に、大容量の高解像度の画像情報を読み込み、読み込み終了後に低解像度の画像情報と同じ場所に上書きする画像表示装置。」（以下「刊行物２記載発明」という。）が記載されており、引用発明と同様、データ量に起因するデータ記憶装置間のデータ伝送時間差を利用して、ユーザに高速で表示しようとする技術に関するものであるから、引用発明に、刊行物２記載発明を適用し、地図データベースから指定された位置に対応する粗画像を読み込み、表示処理を行い、この表示の間に高品質画像を読み込み、読み込み終了後に粗画像と同じ場所に上書きする機能を引用発明が有するようにすることは、当業者が容易になし得る程度のことである。
　引用発明が地図データベースから指定された位置に対応する粗画像を読み込み、表示処理を行い、この表示の間に高品質画像を読み込み、読み込み終了後に粗画像と同じ場所に上書きする機能を有することは、「地図データベースから指定された位置に対応する粗画像および高品質画像を順に連続して抽出して利用者端末に送信する機能」を有することになる。
　よって、本願発明の上記相違点に係る構成となすことは、当業者が容易になし得る程度のことである。
　
　以上のとおりであるから、本願発明の上記相違点に係る構成は、刊行物１及び２に記載された発明に基づいて当業者が容易に想到することができたものであり、それにより得られる効果も当業者が予測できる範囲のものである。
　
　なお、請求人は、審判請求書で「本願請求項１に係る発明は、サーバと端末の間でデータを伝送する場合に生じる時間差を利用して、本願請求項１に係る発明では、伝送にも負荷がかからない粗画像を先に送信し、後に伝送にも負荷がかかる高品質画像を送信することとし、さらに端末において、受信タイミングを考慮して表示の切り替えを行うようにしたものであり、サーバと端末の間で行うことが前提となっている。これに関し、引用例２には、離れたコンピュータ間で行われることについては全く記載がない。したがって、引用例１にスタンドアローン型にも適用できる旨が記載されているからと言って、引用例２に記載の発明を組み合わせて、サーバと端末の間で行うことを前提としている本願請求項１に係る発明をなすことは容易ではない。」と主張しているが、離れたコンピュータ間の伝送であろうと、スタンドアローン型コンピュータにおけるデータ伝送であろうと、いずれもデータ記憶装置間のデータ伝送に関するものであるから、刊行物２記載発明を引用発明に適用することは、当業者が容易になし得る程度のことであり、請求人の主張を採用することはできない。
　
６．むすび
　以上のとおり、本願発明は、刊行物１及び２に記載された発明に基づいて、当業者が容易に発明をすることができたものであり、特許法第２９条第２項の規定により特許を受けることができないものであるから、本願は、拒絶されるべきものである。
　よって、結論のとおり審決する。